(57)【要約】【課題】ケーブル接続等の作業を必要とせずに簡単に、且つ間違いなく外部機器にデータを送信することができるカメラを提供すること。【解決手段】変位パターン提示部２０１は、外部機器９との間で通信が確立した場合に、カメラ本体の変位パターンを定義した所定の送信指示変位パターンを表示部１５に表示する。送信制御部２０３は、前記通信が確立した後、変位検出部１３による変位検出の結果をもとに所定の送信指示変位パターンに従ったカメラ本体の変位を検出する。そして、検出した場合に、送信制御部２０３は、近接通信部１８を介して外部機器９にデータを送信する。【選択図】図６
2010045688.tif 000002
【特許請求の範囲】
【請求項１】
被写体像を撮像して画像データを生成する撮像部と、
前記画像データを記録する記録部と、
外部機器との間で近接無線通信を行う近接通信部と、
装置本体の変位を検出する変位検出部と、
前記外部機器との間で通信が確立した場合に、前記装置本体の変位パターンを定義した所定の送信指示変位パターンを表示部に表示する変位パターン提示部と、
前記通信が確立した後、前記変位検出部による検出結果をもとに前記所定の送信指示変位パターンに従った前記装置本体の変位を検出し、検出した場合に、前記近接通信部を介して前記外部機器に前記画像データを送信する送信制御部と、
を備えることを特徴とするカメラ。
【請求項２】
前記変位パターン提示部は、前記通信が確立した外部機器に応じて異なる送信指示変位パターンを提示することを特徴とする請求項１に記載のカメラ。
【請求項３】
被写体像を撮像して画像データを生成する撮像部と、
前記画像データを記録する記録部と、
外部機器との間で近接無線通信を行う近接通信部と、
装置本体の変位を検出する変位検出部と、
所定の送信指示変位パターンを記録する記録部と、
前記外部機器との間で通信が確立した後、前記変位検出部による検出結果をもとに前記所定の送信指示変位パターンに従った前記装置本体の変位を検出し、検出した場合に、前記近接通信部を介して前記外部機器に前記画像データを送信する送信制御部と、
を備えることを特徴とするカメラ。
【請求項４】
被写体像を撮像して画像データを生成する撮像部と、
前記画像データを記録する記録部と、
外部機器との間で近接無線通信を行う近接通信部と、
装置本体の変位を検出する変位検出部と、
前記外部機器との間で通信が確立した場合に、前記外部機器に装置本体の変位パターンを定義した所定の送信指示変位パターンを送信させ、前記近接通信部を介して前記外部機器から受信した前記送信指示変位パターンを表示部に表示する変位パターン提示部と、
前記通信が確立した後、前記変位検出部による検出結果を変位情報として前記外部機器に送信し、前記外部機器が前記変位情報をもとに前記所定の送信指示変位パターンに従った前記装置本体の変位を検出し、データの送信を許可した場合に、前記近接通信部を介して前記外部機器に前記画像データを送信する送信制御部と、
を備えることを特徴とするカメラ。
【発明の詳細な説明】
【技術分野】
【０００１】
本発明は、カメラに関するものである。
【背景技術】
【０００２】
近年、パソコンの普及やテレビの大画面化に伴い、デジタルカメラで撮影した画像をパソコンやテレビに表示させて楽しむユーザが増えている。また、この他にも、デジタルカメラで撮影した画像が蓄積されたメモリカード等の記録媒体から画像を読み出して専用の表示装置に表示するデジタルフォトフレームが実用化されている。
【０００３】
また、ユーザが把持または着用する物体の動作を検出し、その動作パターンに応じて制御対象機器の動作制御を行う技術が知られている（特許文献１を参照）。この特許文献１の技術によれば、物体を動かすだけで制御対象機器に対する操作入力を簡単に行える。
【０００４】
【特許文献１】特開２００５−５９８１２号公報
【発明の開示】
【発明が解決しようとする課題】
【０００５】
しかしながら、上記のようにカメラで撮影した画像を外部機器に表示させる場合には、外部機器への送信指示や記録媒体からの読み出し指示等の操作入力の他に、その都度カメラを外部機器とケーブル接続したり、カメラから記録媒体を取り外して外部機器に装着するといった作業が必要であり、手間であった。一方で、上記した特許文献１で開示されている物体をカメラとし、カメラから外部機器に対するデータの送信指示操作に適用すれば、簡単な送信指示操作が実現できる。しかしながら、簡単さを追求すると、ユーザが意図しないタイミングでデータの送信が行われる事態が生じ得る。
【０００６】
本発明は、上記に鑑みてなされたものであって、ケーブル接続等の作業を必要とせずに簡単に、且つ間違いなく外部機器にデータを送信することができるカメラを提供することを目的とする。
【課題を解決するための手段】
【０００７】
上述した課題を解決し、目的を達成するため、本発明にかかるカメラは、被写体像を撮像して画像データを生成する撮像部と、前記画像データを記録する記録部と、外部機器との間で近接無線通信を行う近接通信部と、装置本体の変位を検出する変位検出部と、前記外部機器との間で通信が確立した場合に、前記装置本体の変位パターンを定義した所定の送信指示変位パターンを表示部に表示する変位パターン提示部と、前記通信が確立した後、前記変位検出部による検出結果をもとに前記所定の送信指示変位パターンに従った前記装置本体の変位を検出し、検出した場合に、前記近接通信部を介して前記外部機器に前記画像データを送信する送信制御部と、を備えることを特徴とする。
【０００８】
また、本発明にかかるカメラは、上記の発明において、前記変位パターン提示部は、前記通信が確立した外部機器に応じて異なる送信指示変位パターンを提示することを特徴とする。
【０００９】
また、本発明にかかるカメラは、被写体像を撮像して画像データを生成する撮像部と、前記画像データを記録する記録部と、外部機器との間で近接無線通信を行う近接通信部と、装置本体の変位を検出する変位検出部と、所定の送信指示変位パターンを記録する記録部と、前記外部機器との間で通信が確立した後、前記変位検出部による検出結果をもとに前記所定の送信指示変位パターンに従った前記装置本体の変位を検出し、検出した場合に、前記近接通信部を介して前記外部機器に前記画像データを送信する送信制御部と、を備えることを特徴とする。
【００１０】
また、本発明にかかるカメラは、被写体像を撮像して画像データを生成する撮像部と、前記画像データを記録する記録部と、外部機器との間で近接無線通信を行う近接通信部と、装置本体の変位を検出する変位検出部と、前記外部機器との間で通信が確立した場合に、前記外部機器に装置本体の変位パターンを定義した所定の送信指示変位パターンを送信させ、前記近接通信部を介して前記外部機器から受信した前記送信指示変位パターンを表示部に表示する変位パターン提示部と、前記通信が確立した後、前記変位検出部による検出結果を変位情報として前記外部機器に送信し、前記外部機器が前記変位情報をもとに前記所定の送信指示変位パターンに従った前記装置本体の変位を検出し、データの送信を許可した場合に、前記近接通信部を介して前記外部機器に前記画像データを送信する送信制御部と、を備えることを特徴とする。
【００１１】
また、本発明にかかるカメラは、データを記録する記録部と、外部機器との間で近接無線通信を行う近接通信部と、装置本体の変位を検出する変位検出部と、前記外部機器との間で通信が確立した後、前記変位検出部による検出結果をもとに所定の送信指示変位パターンに従った前記装置本体の変位を検出し、検出した場合に、前記近接通信部を介して前記外部機器に前記画像データを送信する送信制御部と、を備えることを特徴とする。
【発明の効果】
【００１２】
本発明によれば、提示される送信指示変位パターンに従って装置本体を動かすと、カメラから外部機器に対してデータが送信される。したがって、ケーブル接続等の作業を必要とせずに簡単に、且つ間違いなく外部機器にデータを送信することができるという効果を奏する。
【発明を実施するための最良の形態】
【００１３】
以下、図面を参照し、本発明の好適な実施の形態について詳細に説明する。なお、この実施の形態によって本発明が限定されるものではない。また、各図面の記載において、同一部分には同一の符号を付して示している。
【００１４】
（実施の形態１）
図１は、本発明のカメラを適用した実施の形態１のデジタルカメラ１の前面側を示す概略斜視図であり、図２は、デジタルカメラ１の背面側を示す概略斜視図である。図１に示すように、デジタルカメラ１は、カメラ本体３の前面に撮像レンズ４が配設され、この撮像レンズ４を通して入射する被写体像を撮像する撮像部１１（図６を参照）をカメラ本体３の内部に備えている。一方、カメラ本体３の上面には、撮影タイミングを指示するためのレリーズスイッチ５が配設されている。そして、カメラ本体３の背面には、各種画面を表示する表示部１５、電源投入やモードの選択といった各種操作を入力するための固有の機能が割り当てられた複数のボタンスイッチ７等が配設されている。また、カメラ本体３の前面側からみて左側の端部部分がユーザの右手により保持されるグリップ部８を形成しており、上面のレリーズスイッチ５や背面のボタンスイッチ７は、グリップ部８を保持した状態で操作可能な位置に配置されている。
【００１５】
そして、デジタルカメラ１の電源を投入（ＯＮ）し、撮影モードを選択すると、デジタルカメラ１は撮影可能な状態となり、撮像レンズ４を通して入射する被写体像がライブビュー画像としてリアルタイムに表示部１５に表示されるようになっている。ユーザは、グリップ部８を保持してカメラ本体３を構え、表示部１５のライブビュー画像を見ながらレリーズスイッチ５を押下して静止画や動画を撮影し、あるいは撮影した静止画や動画を表示部１５に表示（再生）して楽しむ。
【００１６】
このデジタルカメラ１は、図１に示すように、カメラ本体３のグリップ部８が形成された端部と反対の端部側において、パソコンや携帯電話機、テレビ等の外部機器に具備される近接通信部と近接無線通信を行うための近接通信部１８を内蔵している。なお、以下では、外部機器をノートパソコンとして例示する。
【００１７】
図３は、デジタルカメラ１と外部機器９とが通信を行う様子を側面側から示した説明図である。デジタルカメラ１の近接通信部１８は、そのアンテナがカメラ本体３の前面側に配置されるように具備される。一方、外部機器９であるノートパソコンの近接通信部９６は、そのアンテナがキーボード面９０側に配置されるように設けられており、互いに通信可能圏内に近接されると、デジタルカメラ１と外部機器９との間で通信が確立するようになっている。図４は、外部機器９のキーボード面９０を示す図であり、近接通信部１８，９６の通信可能圏内Ｃを平面的に示している。例えば、近接通信部１８，９６は、３ｃｍ程度の近傍領域を通信可能圏内Ｃとしており、この通信可能圏内Ｃで互いに通信が可能である。
【００１８】
より詳細には、デジタルカメラ１の前面側を外部機器９のキーボード面と対向させた状態で近接通信部１８，９６を互いに通信可能圏内に近接させると、デジタルカメラ１と外部機器９との間で通信が確立する。このように、実施の形態１では、近接通信部１８の配置によって通信時のカメラ本体３の前後方向の姿勢を規定している。すなわち、外部機器９のキーボード面に対してカメラ本体３の前面側を対向させた状態でデジタルカメラ１を外部機器９に近づけると通信が確立する一方、外部機器９のキーボード面に対してカメラ本体３の背面側を近づけても通信は確立しない。また、ユーザにとっては、撮影時や再生時と同様の要領でカメラ本体３のグリップ部８を保持して外部機器９に近づければよく、デジタルカメラ１の表示部１５が見える状態で、かつ外部機器９の表示部９２も見える状態で通信が行える。これにより、通信の際、表示部１５，９２の表示によって送受信の成否や送受したデータの内容等を容易に目視確認することができる。
【００１９】
実施の形態１のデジタルカメラ１は、外部機器９との間で通信が確立すると、確立した後のカメラ本体３の変位を検出し、検出した変位をもとに所定の送信指示変位パターンに従ったカメラ本体３の動きを検出する。そして、この所定の送信指示変位パターンに従ったカメラ本体３の動きを検出した場合に、外部機器９に対してデータを送信する。
【００２０】
図５は、外部機器９との間で通信が確立した場合にデジタルカメラ１の表示部１５に表示される画面遷移例を示す図である。カメラ本体３と外部機器９との間で通信が確立すると、デジタルカメラ１の表示部１５には先ず、送信指示変位パターンを提示する提示画面Ｗ１１が表示される（図５（ａ））。この提示画面Ｗ１１に表示される送信指示変位パターンは、通信相手の外部機器に応じて提示されるものであり、実施の形態１では、通常使用する外部機器に登録された外部機器と、その他の外部機器とで異なる送信指示変位パターンが提示されるようになっている。ここで、通常使用する外部機器およびその他の外部機器の送信指示変化パターンは、予め設定しておくものであるが、通常使用する外部機器の送信指示変化パターンについては比較的単純な変位パターンを設定しておくのが好ましい。図５（ａ）の例では、カメラ本体３を時計周りに回転させるカメラ本体３の動きが送信指示変位パターンとして提示されている。
【００２１】
そして、提示された送信指示変位パターンの通りにカメラ本体３が動かされると、データの送信が開始され、表示部１５には、データの送信中を報知する送信画面Ｗ１３が表示される（図５（ｂ））。ここで、この送信指示変位パターンに従ってデジタルカメラ１が動かされたとしても、図４に示したように、その近接通信部１８が外部機器９の通信可能圏内Ｃに入っていれば外部機器９との間の通信は可能である。一方、提示された送信指示変位パターンに従ってカメラ本体３が動かされない場合にはデータの送信は行われず、提示した送信指示変位パターンに従ってカメラ本体３を動かすよう促す警告画面Ｗ１５が表示される（図５（ｃ））。このように、実施の形態１では、提示した送信指示変位パターンに従ってカメラ本体３が動かされない限りデータの送信が行われないため、誤ってデジタルカメラ１が外部機器９に近づけられて通信が確立した場合の誤送信を防止できる。このような場合としては例えば、ユーザがデジタルカメラ１とともに外部機器９となる携帯電話機をカバンやポケットに入れる等して持ち歩く場合が挙げられる。
【００２２】
なお、デジタルカメラ１から外部機器９へと送信されるデータは、デジタルカメラ１に記録されている撮影データであり、例えば、デジタルカメラ１で撮影された静止画や動画のデータである。このとき、撮影された全ての静止画および動画のデータを送信することとしてもよいし、これらの中からユーザが指定したデータを送信することとしてもよい。また、動画の撮影中に録音された音データ等、デジタルカメラ１で録音された音データを送信するようにしてもよい。これにより、デジタルカメラ１で撮影された撮影データを外部機器９において再生・鑑賞できるようになる。
【００２３】
図６は、実施の形態１のデジタルカメラ１および外部機器９の主要内部構成の一例を示すブロック図である。図６に示すように、デジタルカメラ１は、撮像部１１、画像処理部１２、変位検出部１３、操作部１４、表示部１５、記録部１６、時計部１７、近接通信部１８、制御部２０等を備える。
【００２４】
撮像部１１は、撮像レンズ４を通して入射する被写体像を光電変換し、アナログ電気信号を出力するＣＣＤ（Charge Coupled Device）やＣＭＯＳ（Complementary Metal Oxide Semiconductor）等の撮像素子を含み、撮像素子からのアナログ電気信号をデジタル電気信号に変換して画像データを出力する。
【００２５】
画像処理部１２は、撮像部１１から出力された画像データに対して各種の画像処理を施すとともに、記録用や表示用に適した画像データに変換する処理を行う。例えば、撮影画像の画像データを記録する際、あるいは記録されている画像データを表示する際等に、ＪＰＥＧ（Joint Photographic Experts Group）方式等に基づく画像データの圧縮処理や伸張処理を行う。
【００２６】
変位検出部１３は、カメラ本体３の変位を検出するためのものであり、カメラ本体３に生じる加速度を検出する公知の加速度センサや、カメラ本体３が回転したときの角速度を検出する公知の角速度センサ等で実現される。なお、従来から、手ぶれによる画像ぶれを補正するために角速度センサや加速度センサを備えたデジタルカメラが知られており、このようなデジタルカメラに適用する場合には、新たな構成を追加することなくカメラ本体３の変位を検出することができる。
【００２７】
図７は、変位検出部１３によるカメラ本体３の変位検出を説明するための図である。図７に示すように、例えば、デジタルカメラ１の光学系（撮像レンズ４）の光軸方向をＺ軸方向とし、Ｚ軸方向に垂直な平面（撮像素子の撮像面）をＸＹ平面として各軸方向を定義する。ここで、Ｘ，Ｙ，Ｚ軸は、デジタルカメラ１に固定されたローカルな座標軸であり、カメラ本体３の姿勢とは無関係である。変位検出部１３は、Ｘ，Ｙ，Ｚ軸の各軸方向の加速度を個別の加速度センサや３軸の加速度センサによって検出し、Ｘ，Ｙ，Ｚ軸の各軸回りの角速度を個別のジャイロ等によって検出する。そして、変位検出部１３は、加速度センサの検出結果をもとにカメラ本体３の移動量を検出するとともに、角速度センサの検出結果をもとにカメラ本体３の回転量を検出し、カメラ本体３の変位として検出する。
【００２８】
送信指示変位パターンは、このＸ，Ｙ，Ｚ軸の各軸に対し正方向へと回転するカメラ本体３の変位や逆方向へと回転する変位、ＸＹ平面内において所定の方向へとスライドする変位、ＸＺ平面内において所定の方向へとスライドする変位またはＹＺ平面内において所定方向へとスライドする変位として、あるいはこれらを組み合わせて定義される。ここで、カメラ本体３は、図３に示したように、その前面側を外部機器９のキーボード面９０と対向させた状態で外部機器９に近づけられ、その後動かされることを想定している。例えば、図５（ａ）に送信指示変位パターンとして示したカメラ本体３の時計周りへの回転は、Ｚ軸に対して図７中に矢印Ａ１で示す方向へと回転する変位として定義される。なお、上記したようなカメラ本体３の変位を間欠的に複数回行うような送信指示変位パターンを定義しておくこともできる。例えば、カメラ本体３の時計周りへの回転を３回行う送信指示変位パターンであれば、２回の停止状態を挟んでＺ軸に対して図７中に矢印Ａ１で示す方向へと回転する変位を定義しておけばよい。
【００２９】
図８，図９−１〜３は、加速度センサを用いたカメラ本体３の移動量の検出原理の一例を説明する図である。図８に示すように、加速度センサは、チップ表面に固定された固定電極２１１，２１３と、この固定電極２１１，２１３上に架橋され、加速度に起因して矢印Ａ３の方向に移動する可動電極２１５とを有する。そして、固定電極２１１と可動電極２１５との間の静電容量の変化および固定電極２１３と可動電極２１５との間の静電容量の変化を検出して加速度を検出する。この加速度センサの出力（図９−１）を積分することで速度が得られ（図９−２）、さらに積分することで移動量が得られる（図９−３）。また、図１０は、角速度センサを用いたカメラ本体３の回転量の検出原理の一例を説明する図である。図１１に示すように、角速度センサは、圧電セラミック素子が形成された一対の振動体２２１，２２３を有し、この振動体２２１，２２３を図１０中に示す振動方向に振動させた状態で、コリオリ力を利用して角速度を検出するものである。そして、この角速度センサの出力を積分することで回転量が得られる（図１１）。
【００３０】
操作部１４は、撮影の開始指示、静止画撮影や動画撮影等の撮影モード、再生モード、通信モードといったモードの選択操作、撮影条件の設定操作等、ユーザによる各種操作を受け付けて操作信号を制御部２０に通知するためのものである。この操作部１４は、図１のレリーズスイッチ５やボタンスイッチ７を含む。
【００３１】
表示部１５は、撮影された静止画や動画、ライブビュー画像の他、デジタルカメラ１の各種設定情報等を表示するためのものであり、ＬＣＤ（Liquid Crystal Display）やＥＬディスプレイ（Electroluminescence Display）等の表示装置で実現される。この表示部１５には、撮影モード中は例えば１フレーム毎にライブビュー画像が再描画されて動画的に連続表示され、再生モード中は撮影された静止画や動画が表示される。
【００３２】
記録部１６は、デジタルカメラ１を動作させ、このデジタルカメラ１が備える種々の機能を実現するための各種のカメラプログラムや、このカメラプログラムの実行中に使用されるデータ等を記録しておくためのものであり、撮影された静止画データ、動画データ、音データ等の撮影データ等を記録しておくためのものである。例えば、更新記録可能なフラッシュメモリ等のＲＯＭやＲＡＭといった各種ＩＣメモリ、内蔵あるいはデータ通信端子で接続されたハードディスク、メモリカード等の情報記録媒体およびその読み書き装置等によって実現されるものであり、用途に応じた記録装置を適宜採用して用いることができる。
【００３３】
この記録部１６には、通常使用機器データ１６１が記録される。通常使用機器データ１６１は、予めユーザが通信相手として指定した外部機器（以下、適宜「通常使用機器」と称す。）を識別するためのものであり、例えば製造時等において外部機器９に固有に割り当てられる製造番号等の外部機器ＩＤが設定される。実施の形態１では、外部機器９において近接通信部１８が定期的に通信信号の送出を行っており、この通信信号に自機の外部機器ＩＤを含ませて送信している。デジタルカメラ１では、この通信信号によって取得される外部機器ＩＤをもとに、通信が確立した外部機器９が通常使用機器か否かを判定するようになっている。なお、通信頻度の高い外部機器を通常使用機器として自動的に設定するようにしてもよい。例えばデジタルカメラ１において、通信が確立した外部機器９の外部機器ＩＤを通信履歴として記録しておく。そして、通信回数が所定回数以上となった通信頻度の高い外部機器を通常使用機器とし、その外部機器ＩＤを通常使用機器データ１６１として自動的に設定・更新することとしてもよい。また、記録部１６には、外部機器９との間で通信が確立した際に提示される送信指示変位パターンとして、少なくとも登録機器用の送信指示変位パターンと、その他の外部機器用の送信指示変化パターンとが予め記録されている。
【００３４】
時計部１７は、日付および時刻を計時するためのものである。この時計部１７が計時する現在時刻によって、静止画や動画の撮影日および撮影時刻が特定され、撮影された静止画や動画は、撮影日および撮影時刻とともに記録部１６に記録されるようになっている。
【００３５】
近接通信部１８は、外部機器９との間で近接無線通信を行うためのものであり、アンテナによって外部機器９の近接通信部９６との間で電波信号を送受信し、受信信号を復調処理するとともに、送信信号を変調処理する送受信回路等で構成される。この近接通信部１８は、アンテナに生じた電磁誘導によって、停止状態または待機状態にある制御部２０を起動する起動部１９を備えている。
【００３６】
制御部２０は、ＣＰＵ等で実現され、操作部１４からの操作信号等に応じて記録部１６からカメラプログラムを読み出して実行し、デジタルカメラ１を構成する各部に対する指示やデータの転送等を行ってデジタルカメラ１の動作を統括的に制御する。この制御部２０は、外部機器９との間で通信が確立した際に、この通信が確立した外部機器９が通常使用機器か否かに応じた送信指示変位パターンを表示部１５に表示して提示する変位パターン提示部２０１と、この送信指示変位パターンに従ったカメラ本体３の変位を検出した場合に、近接通信部１８を介して外部機器９にデータを送信する処理を行う送信制御部２０３とを含み、上記したカメラプログラムは、制御部２０を変位パターン提示部２０１および送信制御部２０３として機能させるためのプログラムを含む。
【００３７】
一方、外部機器９は、図６に示すように、操作部９１、表示部９２、通信部９３、放送受信部９４、記録部９５、近接通信部９６、制御部９７等を備える。
【００３８】
操作部９１は、例えば、キーボードやマウス、リモコン、タッチパネル、各種スイッチ等の各種入力装置によって実現されるものであり、操作入力に応じた操作信号を制御部９７に出力する。テレビを視聴する場合には、操作部９１によってチャンネルの選択、音量の増減等の各種操作を入力する。表示部９２は、ＬＣＤやＥＬディスプレイ等の表示装置によって実現されるものであり、制御部９７から入力される表示信号に基づいて各種画面を表示する。
【００３９】
通信部９３は、インターネットへの接続等の処理を行うためのものであり、ネットワークＮを介して接続される他の装置との間でデータ通信を行う。ここで、ネットワークＮは、例えば、インターネットおよびインターネットに接続するための各種通信回線と、それらを接続するインターネットプロバイダ等を含む。
【００４０】
放送受信部９４は、放送局から送出される放送番組の放送波を受信するためのものである。この放送受信部９４は、アンテナやチューナ等で構成され、アンテナによって受信された放送信号の中から選択されたチャンネルの信号を選局し、復調処理等の信号処理を行って放送番組の映像データおよび音データを制御部９７に出力する。
【００４１】
記録部９５は、外部機器９を動作させ、この外部機器９が備える種々の機能を実現するためのプログラムや、このプログラムの実行中に使用されるデータ等を記録しておくためのものであり、インターネットに接続する等して取得したコンテンツデータ、デジタルカメラ１から受信した静止画データや動画データ等を記録しておくためのものである。この記録部９５は、更新記録可能なフラッシュメモリ等のＲＯＭやＲＡＭといった各種ＩＣメモリ、内蔵あるいはデータ通信端子で接続されたハードディスク、メモリカード等の情報記録媒体およびその読み書き装置等によって実現されるものであり、用途に応じた記録装置を適宜選択して用いることができる。
【００４２】
近接通信部９６は、デジタルカメラ１との間で近接無線通信を行うためのものであり、アンテナによってデジタルカメラ１の近接通信部１８との間で電波信号を送受信し、受信信号を復調処理するとともに、送信信号を変調処理する送受信回路等を備える。この近接通信部９６からは、その存在を報知する通信信号が定期的に送出されるようになっている。通信信号は、デジタルカメラ１の電源を投入するためのものである。ノートパソコン等を想定している外部機器９では、ＡＣ電源アダプタが利用でき、また充電池の充電容量が大きく、デジタルカメラ１と比較して電源的に有利である。このため、本実施の形態では、外部機器９から通信信号を定期的に送出することでデジタルカメラ１を自動的に電源投入できるようにしている。
【００４３】
制御部９７は、ＣＰＵ等で実現され、操作部９１から入力される操作信号、記録部９５に記録されるプログラムやデータ等に基づいて外部機器９を構成する各部への指示やデータの転送等を行い、外部機器９の動作を統括的に制御する。例えば、制御部９７は、デジタルカメラ１との間で通信が確立した後、続けて受信依頼信号を受信した場合に、デジタルカメラ１から送信される撮影データ（静止画データや動画データ、音データ）を受信する処理を行うとともに、受信したデータを記録部９５に記録する処理を行う。また、制御部９７は、放送受信部９４から入力された映像データの表示処理や、インターネットに接続して取得したコンテンツデータに基づく再生表示処理、デジタルカメラ１から送信された静止画データや動画データの再生表示処理を行なう。また、制御部９７は、放送受信部９４から入力された音データの出力処理や、インターネットに接続して取得したコンテンツデータに基づく音の再生処理、デジタルカメラ１から送信された音データの再生処理を行い、図示しないスピーカから出力させる。
【００４４】
次に、実施の形態１のデジタルカメラ１が行う処理手順について説明する。実施の形態１のデジタルカメラ１は、電源が遮断された状態であっても、外部機器９から送出されている通信信号によって自動的に電源を投入し、通信処理を開始するようになっている。図１２は、通信処理の手順を示すフローチャートである。
【００４５】
図１２に示すように、デジタルカメラ１の近接通信部１８が外部機器９の近接通信部９６の通信可能圏内に近接されると、近接通信部９６が定期的に送出している通信信号の受信によって近接通信部１８のアンテナに電磁誘導が生じ、外部機器９との間で通信が確立する（ステップａ１）。詳細にはこのとき、近接通信部１８の起動部１９が、アンテナに生じた電磁誘導によって制御部２０を起動し、デジタルカメラ１の電源がＯＮされる（ステップａ３）。
【００４６】
このようにしてデジタルカメラ１の電源がＯＮされると、データ送信処理に移る（ステップａ５）。図１３は、実施の形態１のデータ送信処理の手順を示すフローチャートである。
【００４７】
このデータ送信処理では、先ず変位パターン提示部２０１が、記録部１６の通常使用機器データ１６１を参照して通信が確立した外部機器９が通常使用機器として登録された外部機器か否かの照合を行う。具体的には、通信確立時に外部機器９から受信した通信信号から相手の外部機器ＩＤを取得することでこの外部機器９が通常使用機器か否かを判定する。
【００４８】
そして、通常使用機器であれば（ステップｂ１：Ｙｅｓ）、変位パターン提示部２０１は、通常使用機器用に予め設定されて記録部１６に記録されている送信指示変位パターンを表示部１５に表示する処理を行って提示する（ステップｂ３）。一方、通常使用機器以外の外部機器の場合には（ステップｂ１：Ｎｏ）、変位パターン提示部２０１は、その他の外部機器用に予め設定されて記録部１６に記録されている送信指示変位パターンを表示部１５に表示する処理を行って提示する（ステップｂ５）。そして、送信制御部２０３が、変位検出部１３を起動してカメラ本体３の変位を検出させ、変位検出の結果をもとにステップｂ３で提示した送信指示変位パターンを検出する（ステップｂ７）。送信指示変位パターンを検出した場合には（ステップｂ８：Ｙｅｓ）、ステップｂ９に移行する。
【００４９】
すなわち、ステップｂ９では、送信制御部２０３は、近接通信部１８による受信を禁止する。そして、送信制御部２０３は、近接通信部１８を介し、外部機器９に対して受信依頼信号の送信処理を行う（ステップｂ１１）。なお、この受信依頼信号を受信した外部機器９は、受信モードとなる（図１５のステップｅ５〜ステップｅ９を参照）。続いて、送信制御部２０３は、近接通信部１８を介し、記録部１６に記録されている撮影データ（静止画データや動画データ、音データ）の全部または一部を外部機器９に送信する処理を行う（ステップｂ１３）。そして、送信制御部２０３は、データの送信に成功した場合には（ステップｂ１５：Ｙｅｓ）、ステップｂ１９に移行する。
【００５０】
一方、ステップｂ８で送信指示変位パターンが検出されない場合や（ステップｂ８：Ｎｏ）、ステップｂ１５でデータの送信に失敗した場合には（ステップｂ１５：Ｎｏ）、送信制御部２０３は、その旨のメッセージを表示部１５に表示する警告表示処理を行って（ステップｂ１７）、ステップｂ１９に移行する。
【００５１】
すなわち、ステップｂ１９では、送信制御部２０３は、変位検出部１３および近接通信部１８を停止状態にし、図１２のステップａ５にリターンする。
【００５２】
次に、電源投入時のデジタルカメラ１の基本処理の手順について説明する。図１４は、デジタルカメラ１が行う基本処理の手順を示すフローチャートである。電源投入時、デジタルカメラ１は、ユーザ操作によって選択されるモードに応じた処理を行う。すなわち、現在選択されているモードが撮影モードの場合には（ステップｄ１：Ｙｅｓ）、制御部２０は、撮像部１１を起動して画像を取り込み（ステップｄ３）、取り込んだ画像をライブビュー画像として表示部１５に表示する処理を行う（ステップｄ５）。そして、撮影指示がない間は（ステップｄ７：Ｎｏ）、ステップｄ３に戻って処理を繰り返し、ライブビュー画像を１フレーム毎に更新表示させる。そして、レリーズスイッチ５が押下されて撮影が指示された場合には（ステップｄ７：Ｙｅｓ）、静止画または動画の撮影処理を行う（ステップｄ９）。すなわち、静止画撮影を行う場合には１回の撮影処理を行い、１枚の静止画データを生成して記録部１６に記録する。一方、動画撮影を行う場合であれば、静止画データを連続的に生成して動画データとして記録部１６に記録する。そして、制御部２０は、撮影された静止画データまたは動画データの記録を終えると（ステップｄ１１：Ｙｅｓ）、ステップｄ２９に移行する。なお、動画撮影時において、図示しないマイクによって集音される音声等の音の録音処理を行い、音データを生成して動画データと併せて記録することとしてもよい。
【００５３】
一方、現在のモードが撮影モードではなく（ステップｄ１：Ｎｏ）、再生モードの場合には（ステップｄ１３：Ｙｅｓ）、制御部２０は、記録部１６に記録されている撮影データを順次読み出して再生処理を行う（ステップｄ１５）。このとき、過去に静止画撮影された静止画データや動画撮影された動画データを先ずサムネイル形式で一覧表示させることとしてもよい。そして、一覧の中から選択されたものを再生表示することとしてもよい。また、動画を再生する際に、動画データと併せて記録されている音データを、図示しないスピーカから音出力するようにしてもよい。再生対象の選択操作があった場合には（ステップｄ１６：Ｙｅｓ）、ステップｄ１５に戻り、選択された撮影データを再生処理する。
【００５４】
この再生モード中にデジタルカメラ１と外部機器９との間で通信が確立すると（ステップｄ１７：Ｙｅｓ）、データ送信処理に移る（ステップｄ１９）。そして、データ送信処理の後、ステップｄ２９に移行する。このデータ送信処理は、図１３に示した処理手順と同様にして行われる。なお、ここでのデータ送信処理では、例えば、再生中の撮影データを外部機器９に対して送信する。
【００５５】
また、現在のモードが再生モードではなく（ステップｄ１３：Ｎｏ）、通信モードの場合には（ステップｄ２１：Ｙｅｓ）、制御部２０が、近接通信部１８を起動する（ステップｄ２３）。そして、デジタルカメラ１と外部機器９との間で通信が確立すると（ステップｄ２５：Ｙｅｓ）、データ送信処理に移る（ステップｄ２７）。そして、データ送信処理の後、ステップｄ２９に移行する。このデータ送信処理は、図１３に示した処理手順と同様にして行われる。なお、ステップｄ２７のデータ送信処理の前に、記録部１６に記録されている撮影データを再生モードと同様にして順次再生処理し、送信する撮影データの選択操作を受け付けるようにしてもよい。
【００５６】
そして、ステップｄ２９では、基本処理を終了するか否かを判定する。例えば、ボタンスイッチ７の操作によって電源ＯＦＦが指示された場合に、本処理を終える（ステップｄ２９：Ｙｅｓ）。一方、終了しない場合には（ステップｄ２９：Ｎｏ）、ステップｄ１に戻る。
【００５７】
次に、実施の形態１の外部機器９が行う処理手順について説明する。図１５は、外部機器９が行う基本処理の手順を示すフローチャートである。ここで、外部機器９は、電源が投入されていることを前提としている。
【００５８】
図１５に示すように、先ず制御部９７が、近接通信部９６による定期的な通信信号の送出処理を開始する（ステップｅ１）。ここで開始される送出処理によって、自機の外部機器ＩＤを含ませた通信信号が送出される。そして、デジタルカメラ１と外部機器９との間で通信が確立すると（ステップｅ３：Ｙｅｓ）、続いて受信依頼信号を受信するまで待機する。デジタルカメラ１からの受信依頼信号を受信したならば（ステップｅ５：Ｙｅｓ）、制御部９７は、受信モードとなって近接通信部９６を介してデジタルカメラ１から送信される撮影データ（静止画データや動画データ、音データ）の受信処理を行う（ステップｅ７）。そして、制御部９７は、受信したデータを記録部９５に記録して（ステップｅ９）、ステップｅ２９に移行する。なお、このとき、受信したデータを表示部９２に表示させるようにしてもよい。
【００５９】
一方、ユーザ操作によってテレビの視聴が指示された場合には（ステップｅ１３：Ｙｅｓ）、制御部９７は、ユーザが選択したチャンネルの放送番組を出力するための処理を行う（ステップｅ１５）。テレビの視聴終了が指示された場合には、ステップｅ２９に移行する。また、ユーザ操作によってインターネットの接続指示が入力された場合には（ステップｅ１７：Ｙｅｓ）、制御部９７は、ネットワークＮを介してユーザが指定したサイトに接続するための処理を行う（ステップｅ１９）。インターネットへの接続の切断が指示された場合には、ステップｅ２９に移行する。
【００６０】
また、ユーザ操作によってコンテンツの記録指示が入力された場合には（ステップｅ２１：Ｙｅｓ）、ユーザが指定したコンテンツデータを記録部９５に記録する処理を行う（ステップｅ２３）。ここで記録されるコンテンツデータは、例えば、ステップｅ１９で接続したインターネット上のサイトで公開・提供されているコンテンツデータを含む。このコンテンツデータを記録する場合には、接続しているサイトにコンテンツデータのダウンロード要求を送信し、指定したコンテンツデータを取得して記録部９５に記録する。なお、コンテンツデータの取得はインターネット上で提供されているものに限定されず、例えばメモリカードやＣＤ−ＲＯＭ等の情報記録媒体によって提供されるものであってもよい。そして、コンテンツデータの記録を終えると、ステップｅ２９に移行する。
【００６１】
また、ユーザ操作によってコンテンツデータの再生指示が入力された場合には（ステップｅ２５：Ｙｅｓ）、ユーザが指定したコンテンツデータを記録部９５から読み出して再生する処理を行う（ステップｅ２７）。ここで再生されるコンテンツデータは、インターネットに接続等してダウンロードし、ステップｅ１９で記録部９５に記録したコンテンツデータの他、ステップｅ５〜ステップｅ９で受信し記録部９５に記録したデジタルカメラ１からの静止画データや動画データ、音データが含まれる。コンテンツデータの再生終了が指示された場合には、ステップｅ２９に移行する。
【００６２】
そして、ステップｅ２９では、基本処理を終了するか否かを判定し、終了する場合には（ステップｅ２９：Ｙｅｓ）、本処理を終える。一方、終了しない場合には（ステップｅ２９：Ｎｏ）、ステップｅ３に戻る。
【００６３】
以上説明したように、実施の形態１によれば、外部機器９との間で通信が確立した場合に、外部機器９が通常使用機器か否かに応じて異なる送信指示変位パターンを表示部１５に表示して提示し、提示した送信指示変位パターンの通りにカメラ本体３が動かされた場合に、外部機器９に対してデータを送信することができる。したがって、ユーザがカメラ本体３を保持し、表示部１５にて提示される送信指示変位パターンに従ってカメラ本体３を主体的に動かさない限りデータの送信は行われず、単にデジタルカメラ１が外部機器９に近づけられただけではデータの送信は行われない。これによれば、ケーブル接続する等の作業を必要とせずに簡単に、且つ間違いなくデジタルカメラ１から外部機器９へのデータの送信を行うことができるという効果を奏する。
【００６４】
また、デジタルカメラ１が電源遮断時であっても、デジタルカメラ１を外部機器９に近づけ、提示された通りにカメラ本体３を動かすだけでデータの送受信を行えるので、デジタルカメラ１の電源を投入する操作、データの送信や受信を指示するメニュー操作等の必要がない。さらに、カメラ本体３の変位を検出するための変位検出部１３および外部機器９との間で近接無線通信を行うための近接通信部１８を通信時のみにおいて起動し、通信を行っていない間は駆動しないようにした。これにより、デジタルカメラ１の電力の消費を抑えることが可能となる。
【００６５】
ここで、近接通信部１８，９６間の近接無線通信は、非接触状態で行われ、高速且つ大容量のデータ転送が可能な近接無線通信であって、例えば３７５Ｍｂｐｓ以上の転送速度を実現可能な非接触の近接無線通信を想定している。これにより、デジタルカメラ１に記録されている静止画データ、動画データ、音データ等の撮影データの全部または一部を瞬時に外部機器９に送信することができる。
【００６６】
（実施の形態２）
図１６は、実施の形態２のデジタルカメラ１ａおよび外部機器９ａの主要内部構成の一例を示すブロック図である。なお、図１６において、上記した実施の形態と同様の構成には同一の符号を付している。
【００６７】
図１６に示すように、実施の形態２のデジタルカメラ１ａでは、記録部１６ａに自機に固有に割り当てられた製造番号等のカメラＩＤ１６３ａが記録される。
【００６８】
そして、デジタルカメラ１ａの制御部２０ａは、変位パターン提示部２０１ａと、送信制御部２０３ａとを含む。実施の形態２では、変位パターン提示部２０１ａは、外部機器９ａとの間で通信が確立した際に、この外部機器９ａにカメラＩＤ１６３ａを送信する。これに応答して、外部機器９ａでは、デジタルカメラ１ａが通信相手として登録されているか否かの照合を行い、登録されたデジタルカメラの場合に、送信指示変位パターンの内容を変位パターン指定データとして送信するようになっている。変位パターン提示部２０１ａは、変位パターン指定データを受信すると、これを表示部１５に表示して提示する。一方、送信制御部２０３ａは、変位検出部１３によるカメラ本体３の変位検出の結果を変位情報として外部機器９ａに送信し、この変位情報が外部機器９ａ側で送信指示変位パターンとして検出された場合に、外部機器９ａに対するデータの送信処理を行う。
【００６９】
また、実施の形態２の外部機器９ａでは、記録部９５ａに登録カメラデータ９５１ａと送信指示変位パターンデータ９５３ａが記録される。登録カメラデータ９５１ａは、予めユーザが通信相手として指定したデジタルカメラ１ａを識別するためのものであり、例えば予めユーザが通信相手として指定したデジタルカメラ１ａのカメラＩＤが設定される。送信指示変位パターンデータ９５３ａは、デジタルカメラ１ａに送信する送信指示変位パターンを記録しており、１つの送信指示変位パターンを記録したものであってもよいし、複数種類記録したものであってもよい。また、図示しないが、この記録部９５ａには、自機に固有に割り当てられた外部機器ＩＤが予め記録されている。
【００７０】
そして、外部機器９ａの制御部９７ａは、送信可否判定部９７１ａを含む。この送信可否判定部９７１ａは、デジタルカメラ１ａとの間で通信が確立した際に、このデジタルカメラ１ａが通信相手として登録されたデジタルカメラか否かの照合を登録カメラデータ９５１ａを参照して行い、登録されたデジタルカメラの場合に、このデジタルカメラ１ａに対して送信指示変位パターンの内容を指定する送信指示データを送信する。このとき、送信指示変位パターンデータ９５３ａが１つの送信指示変位パターンを記録したものであればその内容を送信し、複数種類記録したものであれば、例えばランダムに１つ選出してその内容を送信するようにしてもよい。そして、送信可否判定部９７１ａは、デジタルカメラ１ａからの変位情報をもとに送信指示変位パターンを検出し、検出した場合に、デジタルカメラ１ａに対してデータの送信を許可する。
【００７１】
次に、実施の形態２のデジタルカメラ１ａが行う処理手順について説明する。実施の形態２のデジタルカメラ１ａでは、実施の形態１で図１２に示して説明したデータ送信処理にかえて、図１７に示す処理手順でデータ送信処理を行う。
【００７２】
すなわち、実施の形態２のデータ送信処理では、先ず変位パターン提示部２０１ａが、自機のカメラＩＤを外部機器９ａに送信する（ステップｆ１）。ここで送信されるカメラＩＤをもとに、外部機器９ａ側でデジタルカメラ１ａの照合が行われる（図１９のステップｈ３を参照）。外部機器９ａがデジタルカメラ１ａを照合した場合には変位パターン指定データが、照合しない場合には送信不可信号がそれぞれデジタルカメラ１ａに送信されるようになっている（図１９のステップｈ９，ｈ２１を参照）。
【００７３】
そして、変位パターン提示部２０１ａは、変位パターン指定データを受信したならば（ステップｆ５：Ｙｅｓ）、受信した変位パターン指定データを表示部１５に表示する処理を行う（ステップｆ７）。
【００７４】
続いて送信制御部２０３ａが、変位検出部１３を起動してカメラ本体３の変位を検出させ（ステップｆ９）、変位情報を外部機器９ａに送信する（ステップｆ１１）。ここで送信される変位情報が外部機器９ａ側で送信指示変位パターンとして検出されれば送信許可信号が、検出されなければ送信不可信号がデジタルカメラ１ａに送信されるようになっている（図１９のステップｈ１５，ｈ２１を参照）。そして、送信許可信号を受信したならば（ステップｆ１３：Ｙｅｓ）、ステップｆ１５に移行する。
【００７５】
すなわち、ステップｆ１５では、送信制御部２０３ａは、近接通信部１８による受信を禁止する。そして、送信制御部２０３ａは、近接通信部１８を介し、記録部１６ａに記録されている撮影データ（静止画データや動画データ、音データ）の全部または一部を外部機器９ａに送信する処理を行う（ステップｆ１７）。そして、送信制御部２０３ａは、データの送信に成功した場合には（ステップｆ１９：Ｙｅｓ）、ステップｆ２１に移行する。
【００７６】
一方、ステップｆ５で外部機器９ａから変位パターン指定データが受信されずに送信不可信号を受信した場合（ステップｆ５：Ｎｏ）、ステップｆ１３で送信許可信号が受信されずに送信不可信号を受信した場合（ステップｆ１３：Ｎｏ）、またはステップｆ１９でデータの送信に失敗した場合には（ステップｆ１９：Ｎｏ）、送信制御部２０３ａは、その旨のメッセージを表示部１５に表示する警告表示処理を行い（ステップｆ２０）、ステップｆ２１に移行する。
【００７７】
すなわち、ステップｆ２１では、送信制御部２０３ａは、変位検出部１３および近接通信部１８を停止状態にし、データ送信処理を終える。
【００７８】
次に、実施の形態２の外部機器９ａが行う処理手順について説明する。図１８は、外部機器９ａが行う基本処理の手順を示すフローチャートである。なお、図１８において、図１５と同様の処理工程には同一の符号を付している。
【００７９】
図１８に示すように、先ず制御部９７ａが、近接通信部１８による定期的な通信信号の送出処理を開始する（ステップｅ１）。そして、デジタルカメラ１ａと外部機器９ａとの間で通信が確立すると（ステップｅ３：Ｙｅｓ）、データ受信処理に移る（ステップｇ７）。図１９は、データ受信処理の手順を示すフローチャートである。
【００８０】
このデータ受信処理では、先ず送信可否判定部９７１ａが、デジタルカメラ１ａから送信されるカメラＩＤを受信する（ステップｈ１）。そして、送信可否判定部９７１ａは、記録部９５ａの登録カメラデータ９５１ａを参照し、受信したカメラＩＤをもとに通信が確立したデジタルカメラ１ａが登録されたデジタルカメラか否かの照合を行う（ステップｈ３）。
【００８１】
登録されたデジタルカメラであれば（ステップｈ５：Ｙｅｓ）、送信可否判定部９７１ａは、記録部９５ａの送信指示変位パターンデータ９５３ａに記録された送信指示変位パターンの内容を変位パターン指定データとしてデジタルカメラ１ａに送信する（ステップｈ９）。そして、送信可否判定部９７１ａは、デジタルカメラ１ａから変位情報を受信するまで待機し、受信したならば（ステップｈ１１：Ｙｅｓ）、送信指示変位パターンを検出する。
【００８２】
受信した変位情報を送信指示変位パターンとして検出した場合には（ステップｈ１３：Ｙｅｓ）、送信可否判定部９７１ａは、デジタルカメラ１ａに送信許可信号を送信し（ステップｈ１５）、受信モードとなって近接通信部１８を介してデジタルカメラ１ａから送信される撮影データ（静止画データや動画データ、音データ）の受信処理を行う（ステップｈ１７）。そして、制御部９７ａは、受信したデータを記録部９５ａに記録して（ステップｈ１９）、図１８のステップｇ７にリターンする。一方、登録したデジタルカメラでない場合や（ステップｈ５：Ｎｏ）、受信した変位情報が送信指示変位パターンに従った変位でない場合には（ステップｈ１５：Ｎｏ）、送信可否判定部９７１ａは、デジタルカメラ１ａに送信不可信号を送信し（ステップｈ２１）、図１８のステップｇ７にリターンする。
【００８３】
以上説明したように、実施の形態２によれば、外部機器９ａにおいて通信が確立したデジタルカメラ１ａの照合を行うことができる。そして、外部機器９ａ側で予め通信相手として登録されたデジタルカメラの場合であって、外部機器９ａが指定した送信指示変位パターンに従ってカメラ本体３が動かされた場合にのみデジタルカメラ１ａから外部機器９ａにデータを送信することができる。したがって、デジタルカメラ１ａと外部機器９ａとの間で安全なデータの送受が実現できる。
【００８４】
なお、ステップｆ７で送信指示変位パターンを提示する前に、外部機器９ａ側でデジタルカメラ１ａが照合されたことを報知するようにしてもよい。図２０は、この場合の外部機器９ａの表示部１５に表示される画面遷移例を示す図である。図２０に示すように、外部機器９ａにおいて先ず、送信指示を促すメッセージを表示部１５に表示し（ａ）、この後デジタルカメラ１ａとの通信が確立し、送信されたカメラＩＤによってデジタルカメラ１ａが照合された場合に、再度デジタルカメラ１ａを外部機器９ａに近づけるよう促すメッセージを表示部１５に表示するようにしてもよい（ｂ）。
【００８５】
以上、この発明の好適な実施の形態について説明したが、この発明は、上記したものに限定されず、発明の趣旨を逸脱しない範囲で適宜変更が可能である。
【００８６】
例えば、上記した実施の形態１や実施の形態２のデジタルカメラ１，１ａにおいて、カメラ本体３の姿勢を検出するようにしてもよい。図２１は、本変形例のデジタルカメラ１ｂの主要内部構成の一例を示すブロック図である。なお、図２１のデジタルカメラ１ｂは、実施の形態１のデジタルカメラ１の変形例として示している。また、図２２は、このデジタルカメラ１ｂと外部機器９とが通信を行う様子を側面側から示した説明図である。なお、図２１および図２２において、実施の形態１と同様の構成には同一の符号を付している。
【００８７】
図２１に示すように、本変形例のデジタルカメラ１ｂは、例えば重力センサ等で実現され、カメラ本体３の姿勢を検出する姿勢検出部２３ｂを備える。姿勢検出部２３ｂは、図２２に示すように、カメラ本体３の底部に配設されており、デジタルカメラ１ｂに固定されたローカル座標軸（図７を参照）に対する重力の方向を姿勢情報として出力する。上記したように、このローカル座標軸はカメラ本体３の姿勢とは無関係であり、この姿勢検出部２３ｂによって、外部機器９との間で通信が確立したときのカメラ本体３の姿勢を検出する。
【００８８】
図２３は、撮影時や再生時と同様の要領でデジタルカメラ１ｂのカメラ本体３を保持した様子を示す図であり、通信時のカメラ本体３の正しい姿勢（基準姿勢）を示している。一方、図２４は、基準姿勢とは別のカメラ本体３の姿勢の一例を示す図であり、図２３に示す状態とカメラ本体３の上下を逆にしてデジタルカメラ１ｂを保持した様子を示している。上記した実施の形態では、外部機器９との間で通信が確立した際のカメラ本体３の姿勢が、図２３に示す基準姿勢であることを前提としてカメラ本体３の変位を検出することとした。しかしながら、実際に通信確立時のカメラ本体３の姿勢が図２３に示す基準姿勢なのか、図２４に示すような基準姿勢とは別の姿勢なのかを判別できないという問題があった。
【００８９】
本変形例では、制御部２０ｂは、姿勢検出部２３ｂから出力される姿勢情報をもとに、外部機器９との間で通信が確立したときのカメラ本体３の姿勢が基準姿勢か否かを判定する。すなわち、カメラ本体３の底面側を下に向けた姿勢の場合に基準姿勢と判定し、基準姿勢でなければデータの送信を行わない。そして、通信確立時のカメラ本体３の姿勢を基準姿勢と判定した場合には変位パターン提示部２０１が送信指示変位パターンを提示し、提示した送信指示変位パターンに従ったカメラ本体３の変位を検出した場合には送信制御部２０３がデータの送信を行う。
【００９０】
この変形例によれば、カメラ本体３の上下左右方向の姿勢を規定することができる。したがって、通信が確立したときのカメラ本体３の姿勢が基準姿勢の場合にのみ送信指示変位パターンの検出を行い、データの送信を確実に行うことができる。
【００９１】
また、上記した実施の形態では、外部機器９をノートパソコンとして例示したが、例えばテレビを外部機器とすることとしてもよい。図２５は、デジタルカメラ１ｂとテレビ９ｂとが通信を行う様子を側面側から示した説明図である。図２５に示すように、テレビ９ｂの近接通信部９６ｂは、表示部１５が配設される前面にアンテナが配置されるように設けられている。そして、この近接通信部９６ｂとデジタルカメラ１ｂの近接通信部１８とが互いに通信可能圏内に近接されると、デジタルカメラ１ｂとテレビ９ｂとの間で通信が確立する。したがって、デジタルカメラ１ｂの表示部１５が見える状態で、かつテレビ９ｂの表示部９２ｂも見える状態で通信が行える。
【００９２】
このデジタルカメラ１ｂは、変形例１で説明したように、カメラ本体３の底部に設けられた姿勢検出部２３ｂによってデジタルカメラ１ｂに固定されたローカル座標軸のＹ軸方向に対する重力の方向を検出し、通信確立時の基準姿勢を判定する。そして、例えば上記した実施の形態と同様に、テレビ９ｂの前面に向かって右から左へとカメラ本体３を横にスライドさせると、デジタルカメラ１ｂからテレビ９ｂへとデータが送信され、デジタルカメラ１ｂで撮影された静止画データや動画データ等をテレビ９ｂで再生・鑑賞できるようになる。また、テレビ９ｂの前面に向かって左から右へとカメラ本体３を横にスライドさせると、テレビ９ｂから送信されたデータを受信する。
【００９３】
また、上記した実施の形態１，２では、加速度センサや角速度センサ等の変位検出部１３によってカメラ本体３の変位を検出し、送信指示変位パターンを検出することとしたが、画像処理によってカメラ本体３の変位を検出するようにしてもよい。図２６は、この場合のデジタルカメラ１ｃの主要内部構成の一例を示すブロック図である。なお、図２６のデジタルカメラ１ｃは、実施の形態１のデジタルカメラ１の変形例として示しており、実施の形態１と同様の構成には同一の符号を付している。なお、図２６において、上記した実施の形態と同様の構成には同一の符号を付している。本変形例のデジタルカメラ１ｃは、図６の変位検出部１３にかえて画像変化検出部２５ｃを備える。
【００９４】
画像変化検出部２５ｃは、撮像部１１から出力される画像データをもとにフレーム間の動きを検出するためのものであり、１フレーム毎に撮像部１１によって取り込まれる各ライブビュー画像に映る同一の被写体位置の変化量を表す動きベクトルを算出する。そして、デジタルカメラ１ｃの制御部２０ｃは、画像変化検出部２５ｃによって算出された動きベクトルをもとにカメラ本体３の移動方向を判定することで、提示した送信指示変位パターンに従ったカメラ本体３の変位を検出する。本変形例によれば、角速度センサや加速度センサを備えないデジタルカメラであっても、新たな構成を追加することなく送信指示変位パターン及び受信指示を検出することができる。
【００９５】
また、上記した実施の形態１，２では、送信指示変位パターンを提示し、提示した送信指示変位パターンに従ってカメラ本体３が動かされたときにデータの送信を行うこととしたが、送信指示変位パターンの提示を行わないこととしてもよい。図２７は、本変形例のデジタルカメラ１ｄの主要内部構成の一例を示すブロック図である。図２７において、実施の形態１と同様の構成には同一の符号を付している。
【００９６】
本変形例のデジタルカメラ１ｄの制御部２０ｄは、実施の形態１の変位パターン提示部２０１に替えて、送信指示変位パターンを設定する変位パターン設定部２０５ｄを備える。この変位パターン設定部２０５ｄは、ユーザ操作に従って送信指示変位パターンを設定する。例えば、予め複数種類の送信指示変位パターンを用意して記録部１６ｄに送信指示変位パターンデータ１６５ｄとして記憶しておく。そして、ユーザの選択操作を受け付けて設定する。あるいは、送信指示変位パターンの設定を依頼するユーザ操作が入力された場合に変位検出部によってカメラ本体の変位を検出し、検出した変位を送信変位パターンとして設定しておくようにしてもよい。そして、送信制御部２０３ｄは、この変位パターン設定部２０５ｄによって設定された送信指示変位パターンに従ってカメラ本体１ｄが動かされた場合に、外部機器に対するデータの送信を行う。
【００９７】
本変形例によれば、ユーザが予め設定を行った送信指示変位パターンでカメラ本体が動かされない限りデータの送信が行わないようにすることができる。また、ユーザが自分で送信指示変位パターンを設定するので、この送信指示変位パターンを事前に提示する必要がない。したがって、より安全なデータの送受が実現できる。なお、ここでは、実施の形態１の変形例として説明したが、実施の形態２についても同様に適用でき、実施の形態２の外部機器９ｂにおいて、ユーザ操作に従って予め送信指示変位パターンを設定しておくこともできる。
【００９８】
また、外部機器において、テレビの視聴中にデジタルカメラとの間で通信が確立し、デジタルカメラから送信されたデータを受信した場合に、放送番組の出力を中断して受信したデータを優先して再生する処理を行うようにしてもよい。また、ユーザ操作に従って放送番組の出力およびデジタルカメラからのデータの再生のどちらを優先するかについて設定できるようにしてもよい。そして、放送番組の出力を優先する設定がされたならば、放送番組の出力中にデジタルカメラからのデータを受信した場合であっても、受信したデータを再生しないようにしてもよい。また、必ずしもいずれか一方を優先する必要はなく、例えば受信したデータ用の画面と放送番組用の画面とに表示画面を２分割し、放送番組の映像データとデジタルカメラからの静止画データまたは動画データとを各画面に並べて表示するようにしてもよい。
【００９９】
また、上記した実施の形態１，２では、デジタルカメラ１ａ，１ｂに起動部１９を設けた場合について説明したが、外部機器に起動部を設けることとしてもよい。そして、デジタルカメラから通信信号を定期的に送出することとし、この通信信号を受信したときに外部機器が起動される構成としてもよい。
【０１００】
また、上記した実施の形態では、デジタルカメラから外部機器に対して撮影データを送信する場合について説明したが、外部機器から送信された所定のコンテンツデータをデジタルカメラで受信する場合にも同様に適用できる。
【０１０１】
また、上記した実施の形態では、撮影データを送信するカメラの例としてデジタルカメラについて説明したが、カメラに限らず、例えば携帯電話機やゲーム機、ノートパソコン、携帯型の音楽プレーヤ等、所定のデータを記録しておくものであって、このデータを他の機器との間で送受が可能な携帯端末に適用できる。例えば、携帯端末の一例である携帯型の音楽プレーヤにおいて、外部機器に対して音楽データを送信する場合に適用可能である。また、携帯型の音楽プレーヤにおいて、外部機器に対し、音楽データと併せて例えばＣＤジャケットの画像データといったその音楽データに関連付けられたデータを送信する場合にも、同様に適用可能である。
【０１０２】
また、上記した実施の形態では、デジタルカメラから外部機器に対して撮影データを送信する場合について説明したが、外部機器から送信された所定のコンテンツデータをデジタルカメラで受信する場合にも同様に適用できる。
【図面の簡単な説明】
【０１０３】
【図１】デジタルカメラの前面側を示す概略斜視図である。
【図２】デジタルカメラの背面側を示す概略斜視図である。
【図３】デジタルカメラと外部機器とが通信を行う様子を側面側から示した説明図である。
【図４】外部機器のキーボード面を示す図である。
【図５】外部機器との間で通信が確立した場合のデジタルカメラの画面遷移例を示す図である。
【図６】実施の形態１のデジタルカメラおよび外部機器の主要内部構成の一例を示すブロック図である。
【図７】変位検出部によるカメラ本体の変位検出を説明するための図である。
【図８】加速度センサを用いたカメラ本体の移動量の検出原理の一例を説明する図である。
【図９−１】加速度センサを用いたカメラ本体の移動量の検出原理を説明する他の図である。
【図９−２】加速度センサを用いたカメラ本体の移動量の検出原理を説明する他の図である。
【図９−３】加速度センサを用いたカメラ本体の移動量の検出原理を説明する他の図である。
【図１０】角速度センサを用いたカメラ本体の回転量の検出原理を説明する図である。
【図１１】角速度センサを用いたカメラ本体の回転量の検出原理を説明する他の図である。
【図１２】通信処理の手順を示すフローチャートである。
【図１３】実施の形態１のデータ送信処理の手順を示すフローチャートである。
【図１４】実施の形態１のデジタルカメラが行う基本処理の手順を示すフローチャートである。
【図１５】実施の形態１の外部機器が行う基本処理の手順を示すフローチャートである。
【図１６】実施の形態２のデジタルカメラおよび外部機器の主要内部構成の一例を示すブロック図である。
【図１７】実施の形態２のデータ送信処理の手順を示すフローチャートである。
【図１８】実施の形態２の外部機器が行う基本処理の手順を示すフローチャートである。
【図１９】データ受信処理の手順を示すフローチャートである。
【図２０】外部機器の画面遷移の変形例を示す図である。
【図２１】デジタルカメラの主要内部構成の変形例を示すブロック図である。
【図２２】変形例のデジタルカメラと外部機器とが通信を行う様子を側面側から示した説明図である。
【図２３】カメラ本体の基準姿勢の一例を示す図である。
【図２４】基準姿勢とは別のカメラ本体の姿勢の一例を示す図である。
【図２５】デジタルカメラとテレビとが通信を行う様子を側面側から示した説明図である。
【図２６】デジタルカメラの主要内部構成の他の変形例を示すブロック図である。
【図２７】デジタルカメラの主要内部構成の他の変形例を示すブロック図である。
【符号の説明】
【０１０４】
１，１ａ      デジタルカメラ
３      カメラ本体
４      撮像レンズ
５      レリーズスイッチ
７      ボタンスイッチ
８      グリップ部
１１      撮像部
１２      画像処理部
１３      変位検出部
１４      操作部
１５      表示部
１６，１６ａ，１６ｄ      記録部
１６１      通常使用機器データ
１６３ａ      カメラＩＤ
１６５ｄ      送信指示変位パターンデータ
１７      時計部
１８      近接通信部
１９      起動部
２０，２０ａ，２０ｃ，２０ｄ      制御部
２０１，２０１ａ      変位パターン提示部
２０３，２０３ａ      送信制御部
２０５ｄ      変位パターン設定部
９，９ａ      外部機器
９１      操作部
９２      表示部
９３      通信部
９４      放送受信部
９５，９５ａ      記録部
９５１ａ      登録カメラデータ
９５３ａ      送信指示変位パターンデータ
９６      近接通信部
９７，９７ａ      制御部
９７１ａ      送信可否判定部
【図１】
2010045688.tif 000003
【図２】
2010045688.tif 000004
【図３】
2010045688.tif 000005
【図４】
2010045688.tif 000006
【図５】
2010045688.tif 000007
【図６】
2010045688.tif 000008
【図７】
2010045688.tif 000009
【図８】
2010045688.tif 000010
【図９−１】
2010045688.tif 000011
【図９−２】
2010045688.tif 000012
【図９−３】
2010045688.tif 000013
【図１０】
2010045688.tif 000014
【図１１】
2010045688.tif 000015
【図１２】
2010045688.tif 000016
【図１３】
2010045688.tif 000017
【図１４】
2010045688.tif 000018
【図１５】
2010045688.tif 000019
【図１６】
2010045688.tif 000020
【図１７】
2010045688.tif 000021
【図１８】
2010045688.tif 000022
【図１９】
2010045688.tif 000023
【図２０】
2010045688.tif 000024
【図２１】
2010045688.tif 000025
【図２２】
2010045688.tif 000026
【図２３】
2010045688.tif 000027
【図２４】
2010045688.tif 000028
【図２５】
2010045688.tif 000029
【図２６】
2010045688.tif 000030
【図２７】
2010045688.tif 000031